(57)【要約】  本発明は、愛玩動物の胴を囲む筒状体として構成すると共に、この筒状体の一端寄りに前肢の挿通穴を形成した衣服において、筒状体は、非伸縮性布材と伸縮性布材を周方向に結合して構成し、伸縮性布材は、幅方向の伸縮性を長さ方向の伸縮性よりも大きい構成とすると共に、挿通穴の内周側には、伸縮性縁布材を取り付けた愛玩動物用衣服を提案する。  この愛玩動物用衣服では、犬の体型、成長に対応させることができると共に、愛玩動物に対して不必要な負担を与えることがない。【特許請求の範囲】
【請求項１】
愛玩動物の胴を囲む筒状体として構成すると共に、この筒状体の一端寄りに前肢の挿通穴を形成した衣服において、筒状体は、非伸縮性布材と伸縮性布材を周方向に結合して構成し、伸縮性布材は、幅方向の伸縮性を長さ方向の伸縮性よりも大きい構成とすると共に、挿通穴の内周側には、伸縮性縁布材を取り付けたことを特徴とする愛玩動物用衣服。
【請求項２】
筒状体は、少なくとも周方向の一個所において、長手方向の着脱連結部を構成したことを特徴とする請求項１に記載の愛玩動物用衣服。
【請求項３】
着脱連結部は、スライドファスナーにより構成したことを特徴とする請求項１に記載の愛玩動物用衣服。
【請求項４】
着脱連結部は、ホックにより構成したことを特徴とする請求項１に記載の愛玩動物用衣服。
【請求項５】
伸縮性布材は、筒状体において、挿通穴に対応する個所に結合したことを特徴とする請求項１に記載の愛玩動物用衣服。
【請求項６】
伸縮性布材は、筒状体において、愛玩動物の背部に対応する個所に結合したことを特徴とする請求項１に記載の愛玩動物用衣服。
【請求項７】
伸縮性布材は、筒状体において、愛玩動物の腹部に対応する個所に結合したことを特徴とする請求項１に記載の愛玩動物用衣服。
【請求項８】
伸縮性布材は、筒状体において、愛玩動物の横腹部に対応する個所に結合したことを特徴とする請求項１に記載の愛玩動物用衣服。
【請求項９】
筒状体の一端側と他端側に伸縮性縁布材を取り付けたことを特徴とする請求項１に記載の愛玩動物用衣服。
【請求項１０】
一端側の伸縮性縁布材を幅広に構成したことを特徴とする請求項９に記載の愛玩動物用衣服。
【請求項１１】
筒状体の一端側にフード部を結合したことを特徴とする請求項１に記載の愛玩動物用衣服。
【請求項１２】
愛玩動物の胴を囲む筒状体として構成すると共に、この筒状体の一端寄りに前肢の挿通穴を形成した衣服において、挿通穴の内周側に伸縮性縁布材を取り付けると共に、筒状体の一端縁に幅広の伸縮性縁布材を取り付けたことを特徴とする愛玩動物用衣服。
【発明の詳細な説明】
【技術分野】
【０００１】
本発明は、より広く体型、成長に合わせて装着でき、愛玩動物に窮屈感や束縛感を与えるようなことはなく、ファッション性も良好な、愛玩動物用衣服に関するものである。
【背景技術】
【０００２】
従来から、愛玩動物である犬、あるいは猫に、様々な衣服を着用させることがしばしば見受けられ、単に防寒の目的ばかりでなく、一つのファッションとして定着している。
そして愛玩動物を散歩等で引き連れる際には、愛玩動物に首輪をつけたり、胴輪をつけて、ここに牽引手段であるリードを連結するようにしている。
このように愛玩動物を引き連れる際に衣服を着用させると、衣服の他に牽引手段が装着されるので、愛玩動物に対して、束縛感や窮屈感を与えている。
また愛玩動物用の衣服は、対象とする愛玩動物の体型や寸法に適合するように形成されているので、成長したり、太った場合には、窮屈になって使用できなくなってしまい、この場合には、適合する衣服を購入する必要が生じるというのが現状である。
その上、胴衣の他に、胴輪、首輪等が犬に装着されるため、せっかくのファッション性も損なうこととなっている。【０００３】
愛玩動物用衣服の従来例として、例えば特許文献１は、愛玩動物の前肢を挿通するための挿通孔を有する胴衣において、胴衣本体は、ファスナーを有する合わせ部を愛玩動物の背中対応側に設けたシート状の構成であると共に、合わせ部は幅が次第に細くなって行く構成であり、この胴衣の合わせ部の少なくとも一方を伸縮可能に形成すると共に、胴衣の内側に挿通孔を囲む胴輪を装着した愛玩動物用衣服が提案されている。【０００４】
そして、この特許文献１では、このような構成によって、胴衣を犬の成長に応じて、或いは犬の体型に応じてフィットして着用させることができるとしている。
また胴衣の内側に挿通穴を囲繞する胴輪を装着したことにより、胴輪は外部に露出することがなく、胴衣の外側にどのような模様を形成しても、模様が胴輪によって影響されることがないとしている。
【特許文献１】実開昭２−１１３９５６号公報
【発明の開示】
【発明が解決しようとする課題】
【０００５】
しかしながら、上述のような胴衣では、胴衣の合わせ部の少なくとも一方を伸縮可能に形成したことにより、胴輪が内部に配設されているところからも、リードによって胴輪を引っ張ることで、胴衣が伸び縮みし、これによってずれてきてしまうことがある。
そのために、たびたび胴衣を、所定の位置にずらすように戻す作業が不可欠となり、このような作業が度重なると、大変、煩わしいこととなる。また、胴の内側の胴輪が、リードを引き込むことで、犬の腹部に食い込むようなこととなり、犬に苦痛を与えることとなる。
本発明は、以上の点等に鑑みて創案された愛玩動物用衣服に関するものであり、犬の体型、成長に対応させることができ、愛玩動物に対して不必要な負担を与えることのないようにした愛玩動物用衣服を提供することを目的とする。
【課題を解決するための手段】
【０００６】
上記の目的を達成するために、本発明では、愛玩動物の胴を囲む筒状体として構成すると共に、この筒状体の一端寄りに前肢の挿通穴を形成した衣服において、筒状体は、非伸縮性布材と伸縮性布材を周方向に結合して構成し、伸縮性布材は、幅方向の伸縮性を長さ方向の伸縮性よりも大きい構成とすると共に、挿通穴の内周側には、伸縮性縁布材を取り付けた構成の愛玩動物用衣服を提案する。【０００７】
また本発明では、上記の構成において、筒状体は、少なくとも周方向の一個所において、長手方向の着脱連結部を構成することを提案する。【０００８】
また本発明では、上記の構成において、着脱連結部は、スライドファスナーやホック等により構成することを提案する。【０００９】
また本発明では、上記の構成において、伸縮性布材は、筒状体において、挿通穴に対応する個所に結合することを提案する。【００１０】
また本発明では、上記の構成において、伸縮性布材は、筒状体において、愛玩動物の背部に対応する個所に結合することを提案する。。【００１１】
また本発明では、上記の構成において、伸縮性布材は、筒状体において、愛玩動物の腹部に対応する個所に結合することを提案する。【００１２】
また本発明では、上記の構成において、伸縮性布材は、筒状体において、愛玩動物の横腹部に対応する個所に結合することを提案する。【００１３】
また本発明では、上記の構成において、筒状体の一端側と他端側に伸縮性縁布材を取り付けることを提案する。【００１４】
また本発明では、上記の構成において、一端側の伸縮性縁布材を幅広に構成することを提案する。【００１５】
また本発明では、上記の構成において、筒状体の一端側にフード部を結合することを提案する。【００１６】
また本発明では、愛玩動物の胴を囲む筒状体として構成すると共に、この筒状体の一端寄りに前肢の挿通穴を形成した衣服において、挿通穴の内周側に伸縮性縁布材を取り付けると共に、筒状体の一端縁に幅広の伸縮性縁布材を取り付けた愛玩動物用衣服を提案する。
【発明の効果】
【００１７】
本発明によれば、衣服を構成する筒状体は、非伸縮性布材に周方向に結合した伸縮性布材によって、径が変化する方向に伸縮するため、愛玩動物の胴の太さの広い範囲に渡って適合させることができると共に、非伸縮性布材によって、胴を圧迫することを軽減することができる。【００１８】
また挿通穴の内周側に取り付けた伸縮性縁布材により、前肢の太さの広い範囲に渡って適合させることができる。【００１９】
更に筒状体の一端側と他端側に伸縮性縁布材を取り付けることにより、着用時に、筒状体の端縁と愛玩動物の胴との隙間を小さくすることができる。【００２０】
本発明において、筒状体は、一体に構成することもできるし、少なくとも周方向の一個所において、スライドファスナーやホック等により長手方向の着脱連結部を構成することができ、後者の場合には装着が容易となる。
【図面の簡単な説明】
【００２１】
【図１】図１は、本発明に係る愛玩動物用衣服の第１の実施の形態を、愛玩動物に着せた状態で示す側面説明図である。
【図２】図２は、図１の愛玩動物用衣服を、愛玩動物の腹側方向から見た説明図である。
【図３】図３は、図１の愛玩動物用衣服の着脱連結部を外した状態の説明図である。
【図４】図４は、図１の愛玩動物用衣服を構成する構成要素を結合前の状態として模式的に示した拡散図的説明図である。
【図５】図５は、本発明に係る愛玩動物用衣服の第２の実施の形態を、愛玩動物の腹側方向から見た説明図である。
【図６】図６は、本発明に係る愛玩動物用衣服の第２の実施の形態を、愛玩動物の腹側方向から見た説明図であり、着脱連結部を構成するホックの一部を外した状態を示す説明図である。
【図７】図７は、本発明に係る愛玩動物用衣服の第３の実施の形態を、愛玩動物に着せた状態で示す側面説明図である。
【図８】図８は、図７の愛玩動物用衣服を、愛玩動物の腹側方向から見た説明図である。
【図９】図９は、本発明に係る愛玩動物用衣服の第４の実施の形態を、愛玩動物の腹側方向から見た説明図である。
【図１０】図１０は、本発明に係る愛玩動物用衣服の第５の実施の形態を、愛玩動物の腹側方向から見た説明図である。
【図１１】図１１は、本発明に係る愛玩動物用衣服の第６の実施の形態を、愛玩動物に着せた状態で示す側面説明図である。
【図１２】図１２は、図１１の愛玩動物用衣服を、愛玩動物の腹側方向から見た説明図である。
【図１３】図１３は、本発明に係る愛玩動物用衣服の第７の実施の形態を、愛玩動物に着せた状態で示す側面説明図である。
【図１４】図１４は、図１３の愛玩動物用衣服を、愛玩動物の背中側方向から見た説明図である。
【図１５】図１５は、本発明に係る愛玩動物用衣服の第８の実施の形態を、愛玩動物に着せた状態で示す側面説明図である。
【図１６】図１６は、本発明に係る愛玩動物用衣服の第９の実施の形態を、愛玩動物に着せた状態で示す側面説明図である。
【図１７】図１７は、図１６の愛玩動物用衣服を、愛玩動物の腹側方向から見た説明図である。
【発明を実施するための最良の形態】
【００２２】
次に、本発明に係る愛玩動物用衣服の実施の形態を添付図面を参照して説明する。
【実施例１】
【００２３】
まず図１〜図４は、本発明に係る愛玩動物用衣服１の第１の実施形態を示すものである。
符号１は本発明の愛玩動物用衣服を概して示すもので、この愛玩動物用衣服１は、愛玩動物２の胴３を囲む筒状体４として構成し、この筒状体４の一端寄りに、愛玩動物２の前肢５の挿通穴６を形成した構成であり、この挿通穴６は、想定される前肢５の径よりも大きく形成している。【００２４】
そして本発明では、筒状体４は、非伸縮性布材７と伸縮性布材８を周方向に結合して構成するもので、この際、伸縮性布材８は、幅方向の伸縮性を長さ方向の伸縮性よりも大きい構成とするものである。そしてこの実施の形態では、伸縮性布材８は、筒状体４において、挿通穴６に対応する個所に結合している。【００２５】
ここで非伸縮性布材７としては、例えば、ポリエステル等の合成繊維による非伸縮性の織物と、適宜の中綿等とから構成することができるが、この他、適宜の構成とすることができる。また伸縮性布材８は、合成繊維によるゴム編み等で形成した編物等により構成することができる。【００２６】
また前肢５の挿通穴６の内周側には伸縮性縁布材９を取り付けており、この伸縮性縁布材９も伸縮性布材８と同様に、合成繊維によるゴム編み等で形成した編物等により構成することができる。【００２７】
また同様に筒状体４の一端側と他端側に、夫々伸縮性縁布材１０、１１を取り付けており、この伸縮性縁布材１１、１２も伸縮性布材８と同様に、合成繊維によるゴム編み等で形成した編物等により構成することができる。【００２８】
更にこの実施の形態では、筒状体４は、愛玩動物２の腹側において長手方向の着脱連結部１３を構成しており、この着脱連結部１３はスライドファスナーとしている。符号１４はスライドファスナーのスライダーを示すものであり、また符号１５は、閉操作時において愛玩動物の体毛が着脱連結部１３に噛み込まれるのを防ぐための当て布部材を示すものである。【００２９】
図３は着脱連結部１３を外した状態における愛玩動物用衣服１を示す説明図で、また図４は、愛玩動物用衣服１を構成する構成要素を結合前の状態として模式的に示した拡散図的説明図である。本発明では、図４に示す各構成要素を逢着等の作業により結合して、図３に示す愛玩動物用衣服１を製作することができる。【００３０】
以上の構成において、本発明の愛玩動物用衣服１では、それを構成する筒状体１は、非伸縮性布材７に周方向に結合した伸縮性布材８によって、筒状体としての径が変化する方向に伸縮するため、愛玩動物２の胴３の太さの広い範囲に渡って適合、即ち、隙間無く装着がされると共に、非伸縮性布材７が結合されているため、筒状体４を全て伸縮性布材８で構成した場合に生じる愛玩動物２の胴３に対しての圧迫を軽減することができる。【００３１】
また本発明の愛玩動物用衣服１では、前肢５の挿通穴６の内周側に取り付けた伸縮性縁布材９により、前肢５の太さの広い範囲に渡って適合、即ち、隙間無く、しかも圧迫感が無く装着することができる。【００３２】
特に、この実施の形態では、伸縮性布材８は、筒状体４において、挿通穴６に対応する個所に結合しているので、伸縮性布材８の伸縮性が、挿通穴６の径方向の伸縮性を大きくさせるので、挿通穴６部分の装着感を更に向上させることができる。【００３３】
更にこの愛玩動物用衣服１では、筒状体４の一端側と他端側に伸縮性縁布材１０、１１を取り付けているので、着用時に、筒状体４の夫々の端縁と愛玩動物２の胴３との隙間を無くし、しかも圧迫感が小さい装着感が得られる。【００３４】
また、この愛玩動物用衣服１では、筒状体４は、スライドファスナーにより長手方向の着脱連結部１３を構成しているので、愛玩動物２に対しての装着が容易に行える。
【実施例２】
【００３５】
次に、図５、図６は、本発明に係る愛玩動物用衣服１の第２の実施形態を示すものであり、この実施の形態では、着脱連結部１３を、第１の実施の形態におけるスライドファスナーからホック１６に変更したものであり、その他の構成は、第１の実施の形態と同様であるので、図において第１の実施の形態の構成要素と同一の符号を付すことにより、重複する説明を省略する。
【実施例３】
【００３６】
次に、図７、図８は本発明に係る愛玩動物用衣服１の第３の実施形態を示すものであり、この実施の形態では、伸縮性布材８は、筒状体４において、愛玩動物の腹部に対応し、また一部、挿通穴６に対応する個所に結合している。その他の構成は第１の実施の形態と同様であり、図において第１の実施の形態の構成要素と同一の符号を付すことにより、重複する説明を省略する。【００３７】
この実施の形態では、第２の実施の形態における利点に加え、愛玩動物２の腹部がより大きい場合に効果的である。
【実施例４】
【００３８】
次に図９は本発明に係る愛玩動物用衣服１の第４の実施形態を示すものであり、この実施の形態は、第１の実施の形態における着脱連結部１３を無くし、筒状体４は一体に構成したものである。その他の構成要素は第１の実施の形態と同様であり、図において第１の実施の形態の構成要素と同一の符号を付すことにより、重複する説明を省略する。
【実施例５】
【００３９】
次に図１０は本発明に係る愛玩動物用衣服１の第５の実施形態を示すものであり、この実施の形態は、第３の実施の形態における着脱連結部１３を無くし、筒状体４は一体に構成したものである。その他の構成要素は第３の実施の形態と同様であり、図において第１の実施の形態の構成要素と同一の符号を付すことにより、重複する説明を省略する。
【実施例６】
【００４０】
次に図１１、図１２は本発明に係る愛玩動物用衣服１の第６の実施形態を示すものであり、この実施の形態では、伸縮性布材８は、筒状体４において、愛玩動物の横腹部に対応する個所に結合している。その他の構成は第１の実施の形態と同様であり、図において第１の実施の形態の構成要素と同一の符号を付すことにより、重複する説明を省略する。
【実施例７】
【００４１】
次に図１３、図１４は本発明に係る愛玩動物用衣服１の第７の実施形態を示すものであり、この実施の形態では、伸縮性布材８は、筒状体４において、愛玩動物の背中部に対応する個所に結合している。その他の構成は第１の実施の形態と同様であり、図において第１の実施の形態の構成要素と同一の符号を付すことにより、重複する説明を省略する。【００４２】
以上の第６、第７の実施の形態では、伸縮性布材８による挿通穴６の伸縮性の向上は望めないが、愛玩動物２の体型等に応じての選択の幅を拡げるという利点がある。
【実施例８】
【００４３】
次に図１５は本発明に係る愛玩動物用衣服１の第８の実施形態を示すものであり、この実施の形態では、筒状体４の一端側にフード部１７を結合したものである。その他の構成は第１の実施の形態と同様であり、図において第１の実施の形態の構成要素と同一の符号を付すことにより、重複する説明を省略する。またフード部１７の利点も自明であるので説明は省略する。
【実施例９】
【００４４】
次に図１６、図１７は本発明に係る愛玩動物用衣服１の第９の実施形態を示すものであり、この実施の形態では、愛玩動物２の胴を囲む筒状体４として構成すると共に、この筒状体４の一端寄りに前肢５の挿通穴６を形成した衣服において、挿通穴６の内周側に伸縮性縁布材９を取り付けると共に、筒状体４の一端縁に幅広の伸縮性縁布材１８を取り付けた構成である。【００４５】
この実施の形態では、筒状体４は、非伸縮性布材７によって構成しており、筒状体４の一端縁に、幅広の伸縮性縁布材１８を取り付けて、この部分の伸縮性を向上させており、以上の実施の形態のような、伸縮性布材８による伸縮性の向上は望めないが、愛玩動物２の体型等に応じての選択の幅を拡げるという利点がある。
【産業上の利用可能性】
【００４６】
本発明は以上の通りであるので、伸縮性布材によって愛玩動物の胴の太さの広い範囲に渡って適合させることができると共に、非伸縮性布材によって、胴を圧迫することを軽減することができ、更に、挿通穴の内周側に取り付けた伸縮性縁布材により、前肢の太さの広い範囲に渡って適合させることができ、犬の体型、成長に対応させることができると共に、愛玩動物に対して不必要な負担を与えることのないようにした愛玩動物用衣服を提供することができる。
【図１】
2006090861.tif 000002
【図２】
2006090861.tif 000003
【図３】
2006090861.tif 000004
【図４】
2006090861.tif 000005
【図５】
2006090861.tif 000006
【図６】
2006090861.tif 000007
【図７】
2006090861.tif 000008
【図８】
2006090861.tif 000009
【図９】
2006090861.tif 000010
【図１０】
2006090861.tif 000011
【図１１】
2006090861.tif 000012
【図１２】
2006090861.tif 000013
【図１３】
2006090861.tif 000014
【図１４】
2006090861.tif 000015
【図１５】
2006090861.tif 000016
【図１６】
2006090861.tif 000017
【図１７】
2006090861.tif 000018
【国際調査報告】
2006090861.tif 000019
2006090861.tif 000020
2006090861.tif 000021
2006090861.tif 000022